(57)【要約】【課題】この発明は、ヘッドホン接続用ソケットを、サブウーハー装置を接続するためのソケットとして利用することが可能となる音響機器を提供することを目的とする。【解決手段】ヘッドホン用プラグがヘッドホン接続用ソケットに差し込まれた場合には、ヘッドホン接続用ソケットにヘッドホン用プラグが差し込まれたことを検出することによって、音響機器の制御部からの制御信号にかかわらず、スイッチを強制的にオフさせるための手段が設けられており、サブウーハー装置用プラグがヘッドホン接続用ソケットに差し込まれた場合には、ヘッドホン接続用ソケットにサブウーハー装置用プラグが差し込まれたことを検出することによって、スイッチのオンオフ制御を音響機器の制御部からの制御信号に基づいて行なうことを維持させる手段が設けられている。【選択図】　図１
2004072554.tif 000002
【特許請求の範囲】
【請求項１】
パワーアンプとスピーカとの間に設けられたスイッチ、音響機器の制御部からの制御信号に基づいてスイッチをオンオフ制御するための制御回路およびヘッドホン接続用ソケットを備えた音響機器において、
ヘッドホン用プラグがヘッドホン接続用ソケットに差し込まれた場合には、ヘッドホン接続用ソケットにヘッドホン用プラグが差し込まれたことを検出することによって、音響機器の制御部からの制御信号にかかわらず、スイッチを強制的にオフさせるための手段が設けられているとともに、
サブウーハー装置用プラグがヘッドホン接続用ソケットに差し込まれた場合には、ヘッドホン接続用ソケットにサブウーハー装置用プラグが差し込まれたことを検出することによって、スイッチのオンオフ制御を音響機器の制御部からの制御信号に基づいて行なうことを維持させる手段が設けられていることを特徴とする音響機器。
【請求項２】
パワーアンプとスピーカとの間に設けられたスイッチ、音響機器の制御部からの制御信号に基づいてスイッチをオンオフ制御するための制御回路およびヘッドホン接続用ソケットを備えた音響機器において、
ヘッドホン接続用ソケットには、音声信号出力用端子およびグランド用端子以外に、コントロール用端子が設けられており、
音響機器内には、ヘッドホン接続用ソケットのコントロール用端子がグランド用端子に接続された場合には、音響機器の制御部からの制御信号にかかわらず、スイッチを強制的にオフさせるためのスイッチ強制オフ手段が設けられており、ヘッドホン用プラグは、ヘッドホン用プラグがヘッドホン接続用ソケットに差し込まれた状態において、ヘッドホン接続用ソケットのコントロール用端子をヘッドホン接続用ソケットのグランド用端子に接続させる構造を有しており、
サブウーハー装置用プラグは、サブウーハー装置用プラグがヘッドホン接続用ソケットに差し込まれた状態において、ヘッドホン接続用ソケットのコントロール用端子をオープン状態にさせる構造を有していることを特徴とする音響機器。
【請求項３】
スイッチをオンオフ制御するための制御回路は、直流電源とヘッドホン接続用ソケットのグランド用端子との間に接続された、スイッチ制御用リレーとＮＰＮ型のスイッチング・トランジスタとからなる直列回路と、音響機器の制御部からの制御信号に応じて、スイッチング・トランジスタのベース電圧を制御する回路とを備え、スイッチは常時はオフの状態であり、スイッチング・トランジスタ素子がオンされているときにスイッチ制御用リレーが作動状態となってスイッチがオン状態にせしめられる構成となっており、
スイッチ強制オフ手段は、ヘッドホン接続用ソケットのコントロール用端子がグランド用端子に接続された場合に、コントロール用端子を利用して、音響機器の制御部からの制御信号にかかわらず、スイッチング・トランジスタのベース電圧をスイッチング・トランジスタがオフとなる電圧に維持させるための回路であることを特徴とする請求項２に記載の音響機器。
【発明の詳細な説明】
【０００１】
【発明の属する技術分野】
この発明は、音響機器に関する。
【０００２】
【従来の技術】
音響機器には、一般的にヘッドホン接続用ソケットが設けられているが、ヘッドホン接続用ソケットにヘッドホンのプラグ（ヘッドホン用プラグ）を差し込んだ場合、音響機器本体のスピーカから音が出力されなくなるような構造となっていることが多い。また、音響機器の中には、アンプとスピーカとを備えた低音増強用のサブウーハー装置を接続するためのサブウーハー接続用ソケットが設けられているものがある。
【０００３】
サブウーハー接続用ソケットが設けられていない音響機器において、ヘッドホン接続用ソケットを利用してサブウーハー装置を接続しようとした場合、ヘッドホン接続用ソケットにサブウーハー装置のプラグ（サブウーハー装置用プラグ）を差し込むと、音響機器本体のスピーカから音が出力されなくなってしまい、サブウーハーの音のみしか聴くことができなくなる。
【０００４】
【発明が解決しようとする課題】
この発明は、ヘッドホン接続用ソケットを、サブウーハー装置を接続するためのソケットとして利用することが可能となる音響機器を提供することを目的とする。
【０００５】
【課題を解決するための手段】
請求項１に記載の発明は、パワーアンプとスピーカとの間に設けられたスイッチ、音響機器の制御部からの制御信号に基づいてスイッチをオンオフ制御するための制御回路およびヘッドホン接続用ソケットを備えた音響機器において、ヘッドホン用プラグがヘッドホン接続用ソケットに差し込まれた場合には、ヘッドホン接続用ソケットにヘッドホン用プラグが差し込まれたことを検出することによって、音響機器の制御部からの制御信号にかかわらず、スイッチを強制的にオフさせるための手段が設けられており、サブウーハー装置用プラグがヘッドホン接続用ソケットに差し込まれた場合には、ヘッドホン接続用ソケットにサブウーハー装置用プラグが差し込まれたことを検出することによって、スイッチのオンオフ制御を音響機器の制御部からの制御信号に基づいて行なうことを維持させる手段が設けられていることを特徴とする。
【０００６】
請求項２に記載の発明は、パワーアンプとスピーカとの間に設けられたスイッチ、音響機器の制御部からの制御信号に基づいてスイッチをオンオフ制御するための制御回路およびヘッドホン接続用ソケットを備えた音響機器において、ヘッドホン接続用ソケットには、音声信号出力用端子およびグランド用端子以外に、コントロール用端子が設けられており、音響機器内には、ヘッドホン接続用ソケットのコントロール用端子がグランド用端子に接続された場合には、音響機器の制御部からの制御信号にかかわらず、スイッチを強制的にオフさせるためのスイッチ強制オフ手段が設けられており、ヘッドホン用プラグは、ヘッドホン用プラグがヘッドホン接続用ソケットに差し込まれた状態において、ヘッドホン接続用ソケットのコントロール用端子をヘッドホン接続用ソケットのグランド用端子に接続させる構造を有しており、サブウーハー装置用プラグは、サブウーハー装置用プラグがヘッドホン接続用ソケットに差し込まれた状態において、ヘッドホン接続用ソケットのコントロール用端子をオープン状態にさせる構造を有していることを特徴とする。
【０００７】
請求項３に記載の発明は、請求項２に記載の音響機器において、スイッチをオンオフ制御するための制御回路は、直流電源とヘッドホン接続用ソケットのグランド用端子との間に接続された、スイッチ制御用リレーとＮＰＮ型のスイッチング・トランジスタとからなる直列回路と、音響機器の制御部からの制御信号に応じて、スイッチング・トランジスタのベース電圧を制御する回路とを備え、スイッチは常時はオフの状態であり、スイッチング・トランジスタ素子がオンされているときにスイッチ制御用リレーが作動状態となってスイッチがオン状態にせしめられる構成となっており、スイッチ強制オフ手段は、ヘッドホン接続用ソケットのコントロール用端子がグランド用端子に接続された場合に、コントロール用端子を利用して、音響機器の制御部からの制御信号にかかわらず、スイッチング・トランジスタのベース電圧をスイッチング・トランジスタがオフとなる電圧に維持させるための回路であることを特徴とする。
【０００８】
【発明の実施の形態】
以下、この発明の実施の形態について説明する。
【０００９】
図１は、音響機器の主として音響出力回路部分を示している。図２は、音響機器に設けられているヘッドホン接続用ソケットを示している。
【００１０】
音響機器には、図１および図２に示すようなヘッドホン接続用ソケット１０が設けられている。ヘッドホン接続用ソケット１０は、Ｌチャンネル用接触片（Ｌチャンネル信号出力用端子）１１、Ｒチャンネル用接触片（Ｒチャンネル信号出力用端子）１２、コントロール用接触片（コントロール用端子）１３およびグランド用接触片（グランド用端子）１４を備えている。
【００１１】
音響機器内において、Ｌチャンネルの音声信号を増幅するためのパワーアンプ２１の出力端子は、常開接点２２を介して左側スピーカ２３に接続されている。また、Ｒチャンネルの音声信号を増幅するためのパワーアンプ３１の出力端子は、常開接点３２を介して右側スピーカ３３に接続されている。
【００１２】
直流電圧＋Ｂが印加された端子４１は、リレー４２およびＮＰＮ型のスイッチング・トランジスタ４３を介してグランド線に接続されている。リレー４２は、接点２２、３２を制御するものであり、リレー４２に電流が流れると、リレー４２は接点２２、３２をオン状態にさせる。
【００１３】
音響機器内の図示しないマイコンのリレー制御用ポート５１は、抵抗５２およびダイオード５３を介してスイッチング・トランジスタ４３のベースに接続されている。スイッチング・トランジスタ４３のベースは、抵抗５４を介してグランド線に接続されている。さらに、スイッチング・トランジスタ４３のベースは、抵抗６１を介して、ヘッドホン接続用ソケット１０のコントロール用接触片１３に接続されている。
【００１４】
抵抗５２の抵抗値をＲ１、抵抗５４の抵抗値をＲ２、抵抗６１の抵抗値をＲ３とすると、抵抗５２の抵抗値Ｒ１と抵抗５４の抵抗値Ｒ２とは、コントロール用接触片１３がオープン状態であり、かつリレー制御用ポート５１に所定のＨレベルの電圧が印加された場合に、スイッチング・トランジスタ４３のベース電圧が、スイッチング・トランジスタ４３をオンさせるための好ましい電圧となるような値に設定されている。
【００１５】
抵抗６１の抵抗値Ｒ３は、リレー制御用ポート５１に所定のＨレベルの電圧が印加されており、かつコントロール用接触片１３がグランド用接触片１４を介してグランド線に接続された場合に、スイッチング・トランジスタ４３のベース電圧が、スイッチング・トランジスタ４３をオフさせるような電圧となるように、抵抗５４の抵抗値Ｒ２に比べて低く（Ｒ３＜Ｒ２）設定されている。
【００１６】
ヘッドホン接続用ソケット１０のＬチャンネル用接触片１１は、パワーアンプ２１の出力端子に接続されている。ヘッドホン接続用ソケット１０のＲチャンネル用接触片１２は、パワーアンプ３１の出力端子に接続されている。ヘッドホン接続用ソケット１０のグランド用接触片１４は、グランド線に接続されている。
【００１７】
図３は、ヘッドホン側のプラグを示している。
【００１８】
ヘッドホン側のプラグ１００は、グランド用接触リング１０１、Ｒチャンネル用接触リング１０２およびＬチャンネル用接触リング１０３を備えている。これらのリング１０１、１０２、１０３は、互いに絶縁されている。Ｒチャンネル用接触リング１０２はヘッドホンの右側イヤホンの＋側端子に接続され、右側イヤホンの−側端子はグランド用接触リング１０１に接続されている。Ｌチャンネル用接触リング１０３は、ヘッドホンの左側イヤホンの＋側端子に接続され、左側イヤホンの−側端子はグランド用接触リング１０１に接続されている。
【００１９】
ヘッドホン側のプラグ１００がヘッドホン接続用ソケット１０に差し込まれた場合には、プラグ１００のグランド用接触リング１０１が、ヘッドホン接続用ソケット１０のコントロール用接触片１３とグランド用接触片１４との両方に接触した状態となる。また、プラグ１００のＲチャンネル用接触リング１０２が、ヘッドホン接続用ソケット１０のＲチャンネル用接触片１２に接触した状態となる。また、プラグ１００のＬチャンネル用接触リング１０３が、ヘッドホン接続用ソケット１０のＬチャンネル用接触片１１に接触した状態となる。
【００２０】
図４は、サブウーハー装置側のプラグを示している。
【００２１】
サブウーハー装置側のプラグ２００は、グランド用接触リング２０１、コントロール用接触リング２０２、Ｒチャンネル用接触リング２０３およびＬチャンネル用接触リング２０４を備えている。つまり、サブウーハー装置側のプラグ２００では、ヘッドホン側のプラグ１００のグランド用接触リング１０１に対応する部分が、グランド用接触リング２０１とコントロール用接触リング２０２とに２分されている。これらのリング２０１、２０２、２０３、２０４は、互いに絶縁されている。
【００２２】
Ｒチャンネル用接触リング２０３はサブウーハー装置のＲチャンネル用回路の＋側端子に接続され、このＲチャンネル用回路の−側端子はグランド用接触リング２０１に接続されている。Ｌチャンネル用接触リング２０４は、サブウーハー装置のＬチャンネル用回路の＋側端子に接続され、このＬチャンネル用回路の−側端子はグランド用接触リング２０１に接続されている。コントロール用接触リング２０２は、オープンの状態（ハイインピーダンスの状態）にされている。
【００２３】
サブウーハー装置側のプラグ２００がヘッドホン接続用ソケット１０に差し込まれた場合には、プラグ２００のグランド用接触リング２０１が、ヘッドホン接続用ソケット１０のグランド用接触片１４に接触した状態となる。また、プラグ２００のコントロール用接触リング２０２が、ヘッドホン接続用ソケット１０のコントロール用接触片１３に接触した状態となる。また、プラグ２００のＲチャンネル用接触リング２０３が、ヘッドホン接続用ソケット１０のＲチャンネル用接触片１２に接触した状態となる。また、プラグ２００のＬチャンネル用接触リング２０４が、ヘッドホン接続用ソケット１０のＬチャンネル用接触片１１に接触した状態となる。
【００２４】
以下、ヘッドホン接続用ソケット１０にプラグが差し込まれていない状態での音響機器の動作、ヘッドホン接続用ソケット１０にヘッドホン側のプラグ１００が差し込まれている状態での音響機器の動作、およびヘッドホン接続用ソケット１０にサブウーハー装置側のプラグ２００が差し込まれている状態での音響機器の動作について説明する。
【００２５】
（１）ヘッドホン接続用ソケット１０にプラグが差し込まれていない状態での音響機器の動作
【００２６】
ヘッドホン接続用ソケット１０にプラグが差し込まれていない状態においては、ヘッドホン接続用ソケット１０のコントロール用接触片１３はオープンの状態となっているため、スイッチング・トランジスタ４３は、マイコンのリレー制御用ポート５１の状態によって制御される。
【００２７】
音響機器が稼働状態である場合には、マイコンのリレー制御用ポート５１の状態はＨであり、スイッチング・トランジスタ４３がオンとなり、リレー４２が作動状態となるので、接点２２、３２がオンとなり、スピーカ２３、３３から音声が出力される。
【００２８】
（２）ヘッドホン接続用ソケット１０にヘッドホン側のプラグ１００が差し込まれた場合の音響機器の動作
【００２９】
ヘッドホン接続用ソケット１０にヘッドホン側のプラグ１００が差し込まれると、ヘッドホン接続用ソケット１０のコントロール用接触片１３がグランド用接触片１４を介してグランド線に接続されるため、マイコンのリレー制御用ポート５１の状態にかかわらず、スイッチング・トランジスタ４３がオフとなり、リレー４２が非作動状態となるので、接点２２、３２がオフとなる。
【００３０】
したがって、音響機器が稼働状態である場合にヘッドホン接続用ソケット１０にヘッドホン側のプラグ１００が差し込まれると、スピーカ２３、３３から音声が出力されなくなる。
【００３１】
また、パワーアンプ２１の出力は、ヘッドホン接続用ソケット１０のＬチャンネル用接触片１１およびプラグ１００のＬチャンネル用接触リング１０３を介してヘッドホンの左側イヤホンに供給され、パワーアンプ３１の出力は、ヘッドホン接続用ソケット１０のＲチャンネル用接触片１２およびプラグ１００のＲチャンネル用接触リング１０２を介してヘッドホンの右側イヤホンに供給される。
【００３２】
（３）ヘッドホン接続用ソケット１０にサブウーハー装置側のプラグ２００が差し込まれた場合の音響機器の動作
【００３３】
ヘッドホン接続用ソケット１０にサブウーハー装置側のプラグ２００が差し込まれると、ヘッドホン接続用ソケット１０のコントロール用接触片１３がオープン状態となるため、スイッチング・トランジスタ４３は、マイコンのリレー制御用ポート５１の状態によって制御される。
【００３４】
音響機器が稼働状態である場合には、マイコンのリレー制御用ポート５１の状態はＨであり、スイッチング・トランジスタ４３がオンとなり、リレー４２が作動状態となるので、接点２２、３２がオンとなり、スピーカ２３、３３から音声が出力される。
【００３５】
また、パワーアンプ２１の出力は、ヘッドホン接続用ソケット１０のＬチャンネル用接触片１１およびプラグ２００のＬチャンネル用接触リング２０４を介してサブウーハー装置のＬチャンネル用回路に供給され、パワーアンプ３１の出力は、ヘッドホン接続用ソケット１０のＲチャンネル用接触片１２およびプラグ２００のＲチャンネル用接触リング２０３を介してサブウーハー装置のＲチャンネル用回路に供給される。
【００３６】
したがって、ヘッドホン接続用ソケット１０にサブウーハー装置側のプラグ２００が差し込まれており、かつ音響機器が稼働状態である場合には、スピーカ２３、３３から音声が出力されるとともに、サブウーハー装置からも音声が出力される。
【００３７】
【発明の効果】
この発明によれば、ヘッドホン接続用ソケットを、サブウーハー装置を接続するためのソケットとして利用することが可能となる。
【図面の簡単な説明】
【図１】音響機器の主として音響出力回路部分を示す電気回路図である。
【図２】音響機器に設けられているヘッドホン接続用ソケットを示す外観図である。
【図３】ヘッドホン側のプラグを示す外観図である。
【図４】サブウーハー装置側のプラグを示す外観図である。
【符号の説明】
１０　ヘッドホン接続用ソケット
１１　Ｌチャンネル用接触片
１２　Ｒチャンネル用接触片
１３　コントロール用接触片
１４　グランド用接触片
２１、３１　パワーアンプ
２２、３２　常開接点
２３、３３　スピーカ
４２　リレー
４３　スイッチング・トランジスタ
１００　ヘッドホン側のプラグ
２００　サブウーハー装置側のプラグ
【図１】
2004072554.tif 000003
【図２】
2004072554.tif 000004
【図３】
2004072554.tif 000005
【図４】
2004072554.tif 000006